(57)【特許請求の範囲】
【請求項１】
シャフト（１）及び少なくとも一つのトンネル（２）を含み、前記シャフト（１）及び前記少なくとも一つのトンネル（２）が互いに流体連通しており、前記トンネル（２）が少なくとも第一のトンネル部（２ａ）、第二のトンネル部（２ｂ）及び第三のトンネル部（２ｃ）を含み、前記第二のトンネル部（２ｂ）が前記第一のトンネル部（２ａ）及び前記第三のトンネル部（２ｃ）の間に配置され、かつ、前記第一のトンネル部（２ａ）及び前記第三のトンネル部（２ｃ）に接続され、前記第二のトンネル部（２ｂ）が前記第三のトンネル部（２ｃ）に接続される端部（４）において密封され、前記第三のトンネル部（２ｃ）がシャフト（１）にさらに接続され、
前記シャフト（１）、前記第一のトンネル部（２ａ）及び前記第三のトンネル部（２ｃ）が蓄熱のための流体を保持するように適合され、
前記第二のトンネル部（２ｂ）は、前記流体の体積が前記シャフト（１）、前記第一のトンネル部（２ａ）及び前記第三のトンネル部（２ｃ）の体積を超えて膨張するときの膨張空間としての用途に適合される、熱エネルギー貯蔵のための設備であって、
前記設備が、膨張した前記流体の体積を前記シャフト（１）及び前記第三のトンネル部（２ｃ）の少なくとも一方から前記第一のトンネル部（２ａ）に移送するための第一の移送手段（５）と、
膨張した前記流体の体積を前記第一のトンネル部（２ａ）から前記第二のトンネル部（２ｂ）に移送するための第二の移送手段（６）とをさらに含む設備。
【請求項２】
請求項１に記載の設備において、前記第一の移送手段（５）がパイプ又はチャンネルを含む設備。
【請求項３】
請求項１又は２に記載の設備において、前記第二の移送手段（６）がパイプ、チャンネル、一方向弁、又は、前記トンネル（２）内に延び、且つ、前記第一のトンネル部（２ａ）から前記第二のトンネル部（２ｂ）に過剰な前記流体を流すことを許容するように適合された高さを有する部分壁を含む設備。
【請求項４】
請求項１〜３の何れか一項に記載の設備において、前記シャフト（１）に近接して配置される分離した機械室（３）と、前記機械室（３）を前記第二のトンネル部（２ｂ）に接続する第三の移送手段（７）とをさらに含む設備。
【請求項５】
請求項４に記載の設備において、前記第三の移送手段（７）がパイプ又はチャンネルを含む設備。
【請求項６】
請求項１〜５の何れか一項に記載の設備において、前記第一のトンネル部（２ａ）内の前記流体の体積が所定の限界値を下回ったとき、前記流体がポンプ手段（８）により前記第二のトンネル部（２ｂ）から前記第一のトンネル部（２ａ）に移送される設備。
【請求項７】
請求項１〜６の何れか一項に記載の設備を用いる方法において、前記設備から周辺の地下水への前記流体の漏洩を排除するために、前記設備内の流体の圧力レベルを周辺の地下水の圧力レベルよりもわずかに低いレベルとバランスをとる方法。
【請求項８】
請求項４〜６の何れか一項に記載の設備を用いる方法において、排水及び安全の何れか一方の目的で、機械室（３）を前記第二のトンネル部（２ｂ）に接続する方法。
【発明の詳細な説明】
【技術分野】
【０００１】
本願は、シャフト及び少なくとも一つのトンネルを含み、シャフト及び少なくとも一つのトンネルが互いに流体連通している、熱エネルギー貯蔵のための設備に関する。シャフト及び少なくとも一つのトンネルは、蓄熱のための流体を保持するように適合される。
【背景技術】
【０００２】
近代的エネルギー技術の分野において、熱エネルギーの効率的な貯蔵が必要とされている。
熱エネルギーは、断熱材として周辺地盤を用いて、地上の断熱タンク内、地中の断熱ピット内、又は地下の掘られた洞窟内の、流体、例えば水の中に有利に貯蔵され得る。流体の熱エネルギーは、長期間、大量に保存される。今日、これらの方法は異なる季節間における熱エネルギーの貯蔵、例えば後の、その需要があるとき、及び好ましくはその財的価値がより高いときに用いられる一時的余剰熱の貯蔵という必要性を満たすため、世界の様々な場所で用いられている。エネルギーの主な遷移は、加熱の必要性が少ない夏の半期から、加熱の必要性が非常に高い冬の半期においてである。しかしながら、短期的変動のための貯蔵を用い、常に積極的に余剰熱を貯蔵することにより、得るものも多くある。これらの種類の貯蔵も、低温システムにおいて用いられる流体のような中温を有する流体同様、冷却に用いられるため、より冷たい流体の貯蔵のために用いられ得る。
【０００３】
熱エネルギーを地下に貯蔵するとき、流体は温かくなるほどより多く膨張し、それゆえに、より広い空間を必要とするということを考慮しなければならない。また、流体が期待されていない貯蔵領域に入るという漏洩又は事故の可能性を考慮し、それゆえに、そのような流体の簡易で、迅速かつ安全な除去について考慮しなければならない。また、貯蔵が周辺地盤水位上で行われる場合の影響を考慮しなければならない。
【０００４】
特許文献１は、一種類の熱エネルギーの効果的な貯蔵設備を示している。しかしながら、地下における熱エネルギー貯蔵のための、より一層向上した設備が依然として必要とされている。
【先行技術文献】
【特許文献】
【０００５】
【特許文献１】スウェーデン国特許第０９５０５７６−９号
【発明の概要】
【発明が解決しようとする課題】
【０００６】
本発明の態様に係る目的は、設備全体の熱エネルギーのロスを低減し得る、地下における熱エネルギー貯蔵のための、環境に優しい設備を提供することにある。さらなる目的は、不必要な構造又は運用コストを招くことなく、十分な膨張及び安全な空間を有する熱エネルギー貯蔵のための向上した設備、及び、拡張空間であって安全な空間に位置する流体が熱エネルギー貯蔵サイクルにおいて用いられ得る設備を提供することにある。
【課題を解決するための手段】
【０００７】
本発明の第一の態様によれば、これらの目的は、シャフト及び少なくとも一つのトンネルを含み、シャフト及び少なくとも一つのトンネルが互いに流体連通しており、トンネルが少なくとも第一、第二及び第三のトンネル部を含み、第二のトンネル部が第一及び第三のトンネル部の間に配置されて、第一及び第三のトンネル部に接続され、第二のトンネル部が第三のトンネル部に接続される端部において密封され、第三のトンネル部がさらにシャフトに接続され、シャフト及び第一、第三のトンネル部が蓄熱のための流体を保持するように適合され、第二のトンネル部が、流体の体積がシャフト及び第一、第三のトンネル部の体積を超えて膨張するときの膨張空間としての用途に適合されることを含む熱エネルギー貯蔵のための設備であって、膨張した流体の体積を一時的にシャフト及び第三のトンネル部の少なくとも一方から第一のトンネル部に移送するための第一の移送手段と、膨張した流体の体積を第一のトンネル部から第二のトンネル部に移送するための第二の移送手段とをさらに含む設備により得られる。
【０００８】
このような設備は、非常に厳しい影響もなく、貯蔵が過剰な流体により溢れること、又は極少量の流体を含むことを可能にする多くの内蔵膨張空間を備えた熱エネルギー貯蔵を促進する。
【０００９】
第一の移送手段は、パイプ又はチャンネルを含み得る。
第二の移送手段は、パイプ、チャンネル、部分壁、又は一方向弁を含み得る。可能な限り、設備は貯蔵の流体を一部分から別の部分に移送するため、重力、すなわち可能な最も容易で安価な解決方法を用いる。
【００１０】
一つの実施形態では、設備はさらに、シャフトに近接して配置される分離した機械室を含み、第三の移送手段が機械室を第二のトンネル部に接続することを含む。移送手段は、機械室からトンネルへの流体の容易で安全な除去を促進する。
【００１１】
第三の移送手段は、パイプ又はチャンネルを含み得る。可能な限り、設備は貯蔵の流体を一部分から別の部分に移送するため、重力、すなわち可能な最も容易で安価な解決方法を用いる。
【００１２】
さらなる実施形態では、第一のトンネル部の流体の体積が所定の限界値を下回ったとき、ポンプ手段により、流体が第二のトンネル部から第一のトンネル部に移送される。これは、設備内の圧力を維持するために用いられる別のシンプルな解決方法である。
【００１３】
本発明の第二の態様によれば、これらの目的は、熱エネルギー貯蔵のためのこのような設備を用いることにより得られる。
一般に、特許請求の範囲で用いられるすべての用語は、本明細書中で明示的に別の定義がされない限り、技術分野における通常の意味に従って解釈されるべきである。「要素、装置、構成要素、方法等」へのすべての参照は、明示的に別の記載がされない限り、前記要素、装置、構成要素、方法等の少なくとも一つの実例を参照するように、公然と解釈されるべきである。また、「含む」という用語は、本出願を通して、「含むが、これらに限定されない」ということを意味する。
【００１４】
本発明のこの態様、及び別の態様は、本発明の現在好ましい実施形態を示す添付図面を参照しながら、より詳細に説明される。
【図面の簡単な説明】
【００１５】
【図１】本発明による設備の実施形態の上面図である。
【図２】本発明による設備の実施形態の側断面図である。
【発明を実施するための形態】
【００１６】
図１及び２は、地下に熱エネルギーを貯蔵するための設備の一つの実施形態を示す。貯蔵された熱は主に、熱電併給プラントのような地域加熱システムに接続される既存の生産設備から来る。別の可能な熱発生源には、例えば太陽集熱器及び工場排熱がある。
【００１７】
設備は、シャフト１及び少なくとも１つのトンネル２を含む。シャフト１及びトンネル２は、互いに流体連通している。例えば少なくとも一つのトンネル２がシャフト１の上部から下部に、螺旋形にシャフト１を取り囲むように配置される一方で、シャフト１は、実質的に垂直に延びている。
【００１８】
トンネル２は、少なくとも３つのセクション、すなわち第一のトンネル部２ａ、第二のトンネル部２ｂ、及び第三のトンネル部２ｃを含む。トンネル部２ａから２ｃは、トンネルの範囲に沿って、すなわち、上部から下部に垂直方向に見て最初に第一セクション２ａ、その後第二セクション２ｂ、最後に第三セクション２ｃ、の順に、連続的に配置される。第三セクション２ｃは実際にいくつかのサブセクションを含み得るが、便宜上、以下の説明では常に、一つのセクションとしての第三セクション２ｃを指す。
【００１９】
第一のトンネル部２ａの一端は、しばしば地表レベルに位置し、トンネルへの入り口を構成する。
第一のトンネル部２ａはさらに、第一の移送手段５の使用を通して、好ましくは下部において、第三のトンネル部２ｃ及びシャフト１の少なくとも一方に接続される。第一のトンネル部２ａの流体の体積が所定の限界値を下回り、それゆえに貯蔵設備内の圧力もまた所定の限界値を下回ったとき、第一の移送手段５は、所定値を超える体積に到達するため、第三のトンネル部２ｃ及びシャフト１の少なくとも一方から第一のトンネル部２ａに流体を移送するために用いられ得る。必要に応じて、流体は、第一の移送手段５も用いる対応する方法により、第一のトンネル部２ａから第三のトンネル部２ｃ及びシャフト１の少なくとも一方に移送され得る。すなわち、トンネル部２ａにおける圧力は、トンネル部２ａ内の流体の体積を増加又は減少するための第一の移送手段５を用いることにより、バランスがとられる。
【００２０】
第二のトンネル部２ｂは、第一のトンネル部２ａに一方の端部６において、第三のトンネル部２ｃにもう一方の端部４において接続されるように、第一のトンネル部２ａ及び第三のトンネル部２ｃの間に配置される。第一のトンネル部２ａに接続される端部６は、以下により詳細に説明される第二の移送手段６の使用を通して、完全にではないが、流体連通のために開放されている。第三のトンネル部２ｃに接続される端部４は、流体が第三のトンネル部２ｃから第二のトンネル部２ｂに移送され得ないように、非透過的に密封される。第三のトンネル部２ｃのもう一方の端部は、順番に、シャフト１、好ましくはシャフト１の底部に接続される。
【００２１】
シャフト１及び第三のトンネル部２ｃは、蓄熱のための流体を保持するように適合される。すなわち、貯蔵の通常の使用中、流体を保持する。流体の体積は通常、シャフト１及び第三のトンネル部２ｃが完全に流体で満たされるようになっている。第一のトンネル部２ａは主に、所定の間隔内のレベルに貯蔵設備内の圧力を維持するため、一定レベルの流体を保持する。すなわち、第一のトンネル部２ａは通常、蓄熱のために流体を保持し、それゆえに貯蔵設備の一部となっている。しかしながら、それはまた、少量の過剰な流体、又はシャフト１及び第三のトンネル部２ｃの少なくとも一方における流体の不足に対応した、一時的な短期バッファ領域としての役割がある。すなわち、シャフト１及び第三のトンネル部２ｃにおける流体の膨張又は収縮に対応して、第一のトンネル部２ａ内で流体レベルの変化が発生する。
【００２２】
しかしながら、第二のトンネル部２ｂは、膨張空間としてのみ使用される。例えば熱により、シャフト１及び第三のトンネル部２ｃに位置する流体の体積が膨張した場合、過剰な流体の体積は、パイプ又はチャンネルのような第一の移送手段５により、シャフト１又は第三のトンネル部２ｃから第一のトンネル部２ａに移送される。
【００２３】
第一のチャンネル部２ａの体積もまた過剰な流体の体積を保持するのに不十分である場合、流体は、第一のトンネル部２ａ及び第二のトンネル部２ｂの間に配置されたパイプ、チャンネル、部分壁又は一方向弁のような第二の移送手段６を介し、第一のトンネル部２ａから第二のトンネル部２ｂに移送される。その正確な設計から独立して、第二の移送手段６は、第一のトンネル部２ａ内において特定の体積が超過されるときのみ、流体を第一のトンネル部２ａから第二のトンネル部２ｂに移送するように配置される。すなわち、第二の移送手段６は基本的に余剰な流体の排出路として機能する。例えば、第一のトンネル部２ａ及び第二のトンネル部２ｂの間の接続部６が部分壁を含む場合、この部分壁は、部分壁の高さが第一のトンネル部２ａ内において常に一定の流体の体積を維持するように適合されるよう、トンネル２内に伸びている。この体積を超えた過剰な流体は、部分壁６の上部を超えて、第二のトンネル部２ｂに流れるであろう。
【００２４】
設備はさらに、シャフト１に近接して配置される分離した機械室３を含む。すなわち、機械室３及びシャフト１は、例えば、トンネルにより互いに接続されておらず、しかしながらそれにも拘わらず、互いに非常に近接して配置されている。設備はまた、機械室３を第二のトンネル部２ｂに接続する第三の移送手段７を含む。機械室３は、例えば熱交換器、ポンプ、及び、貯蔵設備のシャフトから流体を抽出し、当該シャフトに流体を戻すために用いられる伸縮抽出パイプといった設備のための処理装置を含む。流体の体積が、例えばシャフト１又はトンネル２ａから、漏洩又は事故の結果として機械室３に入った場合、第三の移送手段７は、機械室から流体を除去し、その流体を第二のトンネル部２ｂに移送するために用いられる。第三の移送手段７は、好ましくは、パイプ又はチャンネルである。機械室３は好ましくは、垂直方向に見てトンネル２ｂの上部に位置するので、重力により除去を実行するのに適している。
【００２５】
第一のトンネル部２ａ内の流体の体積が所定の限界値を下回り、それゆえに貯蔵設備内の圧力もまた所定の限界値を下回ったとき、ポンプ手段８は、所定値を超える体積に到達するため、流体を第二のトンネル部２ｂから第一のトンネル部２ａに移送するために用いられ得る。すなわち、トンネル部２ａにおける圧力は、トンネル部２ａ内の流体の体積を増加又は減少するための、ポンプ手段８を用いることによりバランスがとられる。
【００２６】
第二のトンネル部２ｂ内の流体の体積が非常に大きくなり、その流体を第一のトンネル部２ａに移送することが不可能となった場合、過剰な流体は、設備の外部に、例えば表面流出として圧送される。しかしながら、水は経済的価値があり、限られた資源であるため、これは可能な限り避けられるべきである。
【００２７】
流体が水で構成されているとき、トンネル部２ａ内の流体の圧力レベル、及びそれゆえに貯蔵設備内の圧力レベルもまた、周辺の地下水の圧力レベルとバランスがとられるべきである。しかしながら、流体が水でない場合、トンネル部２ａ内の流体の圧力レベルは、貯蔵設備から周辺の地下水への流体の漏洩を、及びそれゆえに周辺の地下水への影響を排除するため、周辺の地下水の圧力レベルよりもわずかに低いレベルとバランスがとられるべきである。この方法は例えば、化石由来若しくは生物学的由来（バイオ燃料）の炭化水素、塩溶液、塩水、アンモニア、又はいくつかの別の冷媒を素堀りの空洞内に貯蔵するときに用いられる。
【００２８】
当業者は、本発明が決して上述の好ましい実施形態に限定されないことを理解する。逆に、添付の特許請求の範囲内で、多くの修正及び変更が可能である。例えば、ポンプ、チャンネル、パイプ又は弁の用途が特定の貯蔵設備に適合されるように、互いに関連する機械室の構成、移送手段、トンネル部及びシャフトは、垂直方向に変更し得る。
【図１】
0005914768.tif 000002
【図２】
0005914768.tif 000003